(57)【要約】【課題】陳列時における省スペース化を図ることができるホースリールを提供する。【解決手段】ホースリール１を、フレームを構成する矩形状の本体ケース１１と、本体ケース１１内に回動自在に支持されたドラムで構成し、本体ケース１１を、容器状の下部容器１２と上部容器１３で構成する。上部容器１３の天面２１を矩形状に形成し、全域に渡って平坦に形成する。この天面２１を、他のホースリールの本体ケース１１を積載できる大きさに設定し、天面２１で積載部を構成する。【選択図】図１
2006273583.tif 000002
【特許請求の範囲】
【請求項１】
ホースを巻き取るドラムがフレームに回動自在に支持されたホースリールにおいて、
前記フレームを、前記ドラムが収容されるケース状に形成し、当該フレームに天面を形成したことを特徴とするホースリール。
【発明の詳細な説明】
【技術分野】
【０００１】
本発明は、ホースを巻き取るホースリールに関する。
【背景技術】
【０００２】
従来、散水用のホースを巻き取る際には、ホースリールが用いられていた（例えば、特許文献１及び特許文献２参照。）。
【０００３】
このホースリールは、フレームと、該フレームに回動自在に支持されたドラムとによって構成されている。前記フレームは、対向して設けられた三角形状の側板からなり、一方の側板からは、前記ドラムを回転操作するハンドルが延出されている。
【０００４】
これにより、このハンドルを回転操作することで、ホースをドラムに巻き取って保持できるように構成されている。
【特許文献１】特開平２００１−２０６６３７号公報（図１、図５、及び図７）
【特許文献２】特開平２００１−２０６６３８号公報（図１、図５、及び図７）
【発明の開示】
【発明が解決しようとする課題】
【０００５】
しかしながら、このようなホースリールにあっては、フレームを構成する側板が上部に頂点を有する三角形状に形成されているため、店頭販売時に重ねて陳列することができなかった。
【０００６】
このため、陳列スペースを要するという問題があった。
【０００７】
本発明は、このような従来の課題に鑑みてなされたものであり、陳列時における省スペース化を図ることができるホースリールを提供することを目的とするものである。
【課題を解決するための手段】
【０００８】
前記課題を解決するために本発明の請求項１のホースリールにあっては、ホースを巻き取るドラムがフレームに回動自在に支持されたホースリールにおいて、前記フレームを、前記ドラムが収容されるケース状に形成し、当該フレームに天面を形成した。
【０００９】
すなわち、ドラムを支持するフレームは、前記ドラムを収容するケース状に形成されており、当該フレームには天面が形成されている。このため、店頭販売時には、前記フレーム上に他のホースリールが積み重ねられて陳列される。
【００１０】
そして、ホースが巻かれたドラムの露出が前記フレームによって防止されるため、陳列時の外観品質が高められる。さらに、使用時には、汚れが付着したホースが前記フレームによって隠蔽されるとともに、ホースへの紫外線の照射が遮断される。
【００１１】
また、他の例としてのホースリールにおいては、前記天面を略平坦に形成した。
【００１２】
すなわち、フレームの天面は、略平坦に形成されている。このため、前記天面に積み重ねられる他のホースリールの安定性が高められる。
【００１３】
さらに、他の例としてのホースリールでは、前記天面に他のフレームを積載する積載部を設定した。
【００１４】
これにより、天面が構成する載置部に他のホースリールが載置された状態で積み重ねられる。
【００１５】
また、他の例としてのホースリールにおいては、前記フレームの天面に、没入した凹部及び該凹部内に収容される取っ手を設け、該取っ手を、前記凹部内に収容された傾倒状態と起立した起立状態との間で回動自在に支持するとともに、前記傾倒状態から前記起立状態へ移行する際に前記取っ手の自由端部が回動中心上部を通過し当該取っ手が傾斜した状態で回動を規制する規制手段を設けた。
【００１６】
すなわち、ドラムを回転させてホースを巻き取る際には、ケース状のフレーム天面に設けられた取っ手が握持される。
【００１７】
この取っ手を傾倒状態から起立状態へ移行する際には、その自由端部が回動中心上部を通過した後、傾斜した状態で規制手段によって回動が規制される。このため、この取っ手を上から押さえた際には、当該取っ手の前記傾倒方向への倒れが防止される。また、前記取っ手は、傾斜した状態が維持されるため、取っ手に加えられた力は、フレーム下方へ向けて伝達される。
【００１８】
さらに、他の例としてのホースリールでは、前記フレームの底面に開口部を設けた。
【００１９】
このため、梱包時において、別体化されたホース接続プラグや回転操作用のハンドルなどの構成部品がフレーム底面の開口部内に収容される。また、使用時には、ホースに結露した水滴がフレーム外へ排出される。
【００２０】
加えて、他の例としてのホースリールにあっては、前記フレーム下部に、該フレームより側方へ延出した展開状態と、当該フレーム下部に折り畳まれ前記開口部の下部に配置された折り畳み状態との間で開閉される脚部を設けた。
【００２１】
これにより、脚部をフレーム下部に折り畳んだ状態で、フレーム底面の開口部が前記脚部で塞がれる。
【００２２】
また、他の例としてのホースリールにおいては、前記ドラムを、前記ホースが巻かれる胴部と、該胴部の両端部に設けられた鍔部とで構成し、前記フレームの内側面に、前記鍔部に近接するリブを突設した。
【００２３】
すなわち、フレームの内側面には、ドラムの鍔部に近接したリブが突設されており、前記内側面に沿って巻き込まれたホースは、このリブに案内され、前記内側面と前記鍔部との隙間への巻き込みが抑制される。
【００２４】
さらに、他の例としてのホースリールでは、前記リブの高さ寸法を、前記フレームの内側面から前記鍔部までの離間距離以上の高さに設定した。
【００２５】
これにより、フレームの内側面に沿って巻き込まれたホースは、このリブによって、前記内側面と前記鍔部間に形成された隙間より鍔部側へ案内され、前記内側面と前記鍔部との隙間への巻き込みが確実に防止される。
【発明の効果】
【００２６】
以上説明したように、本発明の請求項１のホースリールにあっては、ケース状のフレーム上に、他のホースリールを積み重ねて陳列することができる。
【００２７】
このため、ホースリールを積み重ねることができない従来のホースリールと比較して、店頭陳列時の省スペース化を図ることができる。したがって、少ないスペースで、より多くのホースリールを陳列することができる。
【００２８】
そして、ホースが巻かれたドラムの露出が防止されるため、陳列時の外観品質を高めることができる。さらに、使用時には、汚れが付着したホースを隠蔽することができ、美観を向上することができる。加えて、ホースへの紫外線の照射を遮断することができるとともに、霜の付着を防止することができる。よって、これらによるホースの劣化を防止し、長寿命化を図ることができる。
【００２９】
また、他の例としてのホースリールにおいては、略平坦に形成されたフレームの天面に他のホースリールを積み重ねることができる。これにより、安定した積み重ね状態を形成することができる。
【００３０】
さらに、他の例としてのホースリールでは、積層部を構成する天面に他のホースリールを載置した状態で積載することができる。
【００３１】
加えて、他の例としてのホースリールにあっては、ドラムを回転してホースを巻き取る際にフレーム天面に設けられた取っ手を握持することができる。
【００３２】
そして、取っ手を起立させた状態において、この取っ手は傾斜した状態で回動が規制される。このため、この取っ手を上から押さえた際の当該取っ手の傾倒方向への不用意な倒れを防止することができる。
【００３３】
また、この取っ手は、傾斜した状態が維持されるため、取っ手に加えられた力を、フレーム下方へ向けて伝達することができる。これにより、フレームを上方から押さえることができる。
【００３４】
また、他の例としてのホースリールにおいては、梱包時において、別体化されたホース接続プラグや回転操作用のハンドルなどの構成部品を、フレーム底面の開口部内に収容することができる。これにより、梱包時のコンパクト化を図ることができる。
【００３５】
また、使用時には、ホースに結露した水滴をフレーム外へ排出することもできる。
【００３６】
さらに、他の例としてのホースリールでは、脚部をフレーム下部に折り畳むことにより、当該脚部によってフレーム底面の開口部を閉鎖することができる。これにより、開口部内に収容した構成部品の不用意な飛び出しを防止することができる。
【００３７】
また、他の例としてのホースリールにおいては、ケース状のフレーム内側面に沿って巻き込まれるホースを、前記内側面に設けられたリブで案内することにより、前記内側面とドラムの鍔部間への巻き込みを抑制することができる。
【００３８】
これにより、巻き込んだホースの取り外しが困難なケース状のフレームを備えた構造であっても、ホースの巻き込みに起因した不具合を未然に回避することができる。
【００３９】
さらに、他の例としてのホースリールでは、フレームの内側面に沿って巻き込まれたホースを、リブによって前記内側面とドラムの鍔部間に形成された隙間より前記鍔部側へ案内し、前記内側面と前記鍔部との隙間への巻き込みを確実に防止することができる。
【００４０】
これにより、巻き込んだホースの取り外しが困難なケース状のフレームを備えた構造であっても、ホースの巻き込みに起因した不具合を確実に回避することができる。
【発明を実施するための最良の形態】
【００４１】
以下、本発明の一実施の形態を図に従って説明する。図１は、本実施の形態にかかるホースリール１を示す図であり、該ホースリール１は、散水用のホースを巻き取る際に使用されるものである。
【００４２】
このホースリール１は、フレームを構成する矩形状の本体ケース１１を備えてなり、該本体ケース１１は、図２にも示すように、上方に開口した容器状の下部容器１２と、下方に開口した容器状の上部容器１３とが結合され形成されている。この本体ケース１１内には、図３に示すように、ホース１４を巻き取る為のドラム１５が収容されており、該ドラム１５は、ホース挿通穴１６を貫通したホース１４が巻かれる円筒状の胴部１７と、該胴部１７の両端部に設けられた鍔部１８，１８とによって構成されている。
【００４３】
前記上部容器１３の天面２１は、図１及び図４に示すように、矩形状に形成されており、全域に渡って平坦に形成されている。また、当該天面２１は、他のホースリールの本体ケース１１を積載できる大きさに設定されており、本発明の積載部を構成されている。
【００４４】
この天面２１には、コ字状に没入した凹部２２が形成されており、該凹部２２内には、コ字状の取っ手２３が配設されている。該取っ手２３は、自由端部を構成する握持部２４と、該握持部２４の両端から延出した延出部２５，２５とによってコ字状に形成されており、図５に示すように、両延出部２５，２５の先端に設けられた回動軸２６，２６を介して、前記上部容器１３に回動自在に支持されている。これにより、前記取っ手２３を、前記凹部２２内に収容した傾倒状態２７と起立した起立状態２８との間で回動できるように構成されている。
【００４５】
この取っ手２３の前記延出部２５，２５は、前記起立状態２８において、前記凹部２２の上縁部が構成する規制手段である当接部２９に当接して回動が規制されるように構成されており、該当接部２９は、前方側に傾斜した傾斜面によって構成されている。この起立状態２８において、前記取っ手２３が前記傾倒状態２７から９０度を超えた所定角α、具体的には１０９度傾斜した状態で回動規制されるように構成されている。これにより、傾倒状態２７の取っ手２３を起立状態２８へ移行する際には、前記取っ手２３の自由端部を構成する前記握持部２４が前記回動軸２６が構成する回動中心上部を通過した後、前記延出部２５，２５が前記当接部２９に当接した状態で前方側に傾斜して停止するように構成されている。
【００４６】
前記上部容器１３の前面３１には、図６にも示すように、ホース１４を出し入れする為の出入口３２が開設されており、該出入口３２は、半円形状であって、円弧部分３３が上方に位置するように設けられている。
【００４７】
この上部容器１３の左右側面４１，４２の下端と前記下部容器１２の左右側面４３，４４の上端との接合部分には、図１及び図６に示したように、両者を接合した状態で円形を成す側方に膨出した膨出部４５，４５が形成されており、両膨出部４５，４５間には、図３に示したように、前記ドラム１５の鍔部１８，１８から突出した胴部１７の端部が回動自在に支持されている。これら膨出部４５，４５の中央には、円形穴４６，４６が設けられており、左方に設けられた前記膨出部４５の円形穴４６には、前記ドラム１５を回動する為のクランク状のハンドル４７の軸４８が挿通している。
【００４８】
また、右方に設けられた前記膨出部４５の円形穴４６には、蛇口側のホースが接続される接続プラグ５１が挿通されており、該接続プラグ５１には、ドラム１５に巻かれたホース１４が接続されるパイプ部材５２の一端が接続されている。これにより、蛇口からの水道水を、前記接続プラグ５１を介して前記パイプ部材５２へ供給するとともに、該パイプ部材５２を介してドラム１５に巻かれた散水側のホース１４に供給できるように構成されている。
【００４９】
前記下部容器１２の底面６１には、図７にも示すように、矩形状の底部開口部６２が開設されており、本体ケース１１は、この底部開口部６２を介して外部に連通している。
【００５０】
また、前記底面６１には、横長の脚固定部材６５，６５が前面側及び後面側の各縁部に沿ってネジ止めされている。両脚固定部材６５，６５の両端部には、図８にも示すように、十字状の軸部６６，６６が互いに対向する方向へ突設されており、対向した軸部６６，６６には、同形状に形成された脚部６７，６７が回動自在に支持されている。
【００５１】
この脚部６７の両端部には、前記軸部６６，６６に外嵌する円筒部７１，７１が基端部７２に形成されており、この円筒部７１には、先端へ向けて延出する上面部７３が一体形成されている。前記両脚部６７，６７は、前記円筒部６６，６６を中心に回動することによって、図９に示すように、両脚部６７，６７の先端が前記本体ケース１１の下部に配置され両脚部６７，６７が前記底面開口部６２の下部に配置された折り畳み状態７４と、図１に示したように、両脚部６７，６７の先端が本体ケース１１より側方へ延出し、かつ前記本体ケース１１の底面６１に当接して（図８参照）回動が規制された展開状態７５とを任意に形成できるように構成されている。
【００５２】
これにより、展開状態７５において、本体ケース１１の起立状態の安定化を図れるように構成されており、前記折り畳み状態７４にあっては、底面６１に開設された前記底面開口部６２を前記脚部６７，６７によって閉鎖できるように構成されている。
【００５３】
前記上面部７３は、一方の脚部６７を他方の脚部６７に先行して折り畳んで図９に示した折り畳み状態７４を形成した際に、両脚部６７，６７の基端部７２，７２より先端側が重なる長さに形成されており、その裏面には、複数のリブ８１，・・・と、その両側縁から延出したフランジ８２，８２とが一体形成されている。このフランジ８２，８２及び前記リブ８１，・・・の高さ寸法は、図８にも示したように、基端部７２から先端へ向かうに従って低くなるように設定されており、各脚部６７の厚み寸法は、前記本体ケース１１に軸支された基端部７２から先端へ向かうに従って薄肉になるように設定されている。
【００５４】
さらに、両脚部６７，６７は、図９に示したように、前記折り畳み状態７４にて重なり合う全域での厚み寸法の和が、両脚部６７，６７で最も厚い基端部７２での厚み寸法以下となるように、前記重合部８３での厚み寸法が設定されており、前記折り畳み状態７４において、両脚部６７，６７が、前記脚部固定部材６５の下面より上方に位置するように構成されている。
【００５５】
そして、図５に示したように、前記本体ケース１１の下部容器１２の内側面９１には、二本のリブ９２，９２が底面６１から上部開口部へ向けて延設されており、前記本体ケース１１の上部容器１３の内側面９３にも、二本のリブ９４，９４が天面２１から下部開口部へ向けて延設されている。つまり、これらのリブ９２，９２，９４，９４は、前記各容器１２，１３を樹脂成形する際の型抜き方向に延設されている。
【００５６】
各リブ９２，９２，９４，９４の高さ寸法Ｈは、図３に示したように、各内側面９１，９３から前記ドラム１５の鍔部１８までの離間距離Ｒ以上に設定されており、図５に示したように、各リブ９２，９２，９４，９４の長さ寸法は、その先端が前記鍔部１８に近接する長さに設定されている。
【００５７】
なお、これらのリブ９２，９２，９４，９４の高さ寸法Ｈは、必ずしも前記各内側面９１，９３から前記鍔部１８までの離間距離Ｒ以上に設定する必要は無く、巻き取られるホース１４の外径寸法を考慮して設定すれば良い。具体的に、前記各リブ９２，９２，９４，９４の高さ寸法Ｈは、各リブ９２，９２，９４，９４先端から前記鍔部１８までの間隙がホース１４の外径寸法より小さくなるように設定すれば良い。
【００５８】
しかし、本実施の形態のように、前記高さ寸法Ｈを前記離間距離Ｒ以上に設定することで、本体ケース１１変形時のドラム１５の離脱防止効果を得ることができる。
【００５９】
以上の構成にかかる本実施の形態において、ドラム１５を支持するフレームとしての本体ケース１１は、前記ドラム１５を収容するケース状に形成されており、その天面２１には、他のホースリール１の本体ケース１１を積載する積載部を構成している。このため、店頭販売時には、他のホースリール１を積み重ねて陳列することができる。
【００６０】
このため、ホースリール１を積み重ねることができない従来のホースリールと比較して、店頭陳列時の省スペース化を図ることができる。したがって、少ないスペースで、より多くのホースリール１を陳列することができる。
【００６１】
この状態において、ホース１４が巻かれたドラム１５の露出を防止できるので、陳列時の外観品質を高めることができる。
【００６２】
そして、使用時には、土などの汚れが付着したホース１４を隠蔽することができ、美観を向上することができる。また、ホース１４への紫外線の照射を遮断することができるとともに、霜の付着を防止することができる。よって、これらによるホース１４の劣化を防止し、長寿命化を図ることができる。
【００６３】
また、側方に延出したハンドル４７でドラム１５を回転させホース１４を巻き取る際には、本体ケース１１の天面２１に設けられた取っ手２３の握持部２４を一方の手で握持することができる。
【００６４】
このとき、前記取っ手２３を起立させた状態において、この取っ手２３は傾斜した状態で回動規制される。このため、この取っ手２３を上から押さえた際には、図５に示したように、当該取っ手２３の傾倒方向Ｋへの不用意な倒れを防止することができる。
【００６５】
また、この取っ手２３は、傾斜した状態が維持されるため、取っ手２３に加えられた力を、本体ケース１１下方へ向けて伝達することができる。これにより、本体ケース１１を上方から押さえることができ、ハンドル４７の回転操作性を向上することができる。
【００６６】
さらに、前記本体ケース１１の底面６１には、底面開口部６２が開設されており、梱包時において、別体化された水道側ホース用の接続プラグ５１や前記ハンドル４７を、前記底面開口部６２内に収容することができる。これにより、梱包時のコンパクト化を図ることができる。
【００６７】
この状態で、脚部６７，６７を本体ケース１１下部に折り畳むことにより、当該脚部６７，６７によって底面開口部６２を閉鎖することができる。これにより、底部開口部６２内に収容した前記接続プラグ５１や前記ハンドル４７の不用意な飛び出しを防止することができる。
【００６８】
加えて、使用時には、ホース１４に結露した水滴や付着した土などを、前記底面開口部６２を介して、本体ケース１１下方へ落下して排出することもできる。
【００６９】
そして、本体ケース１１の両容器部１２，１３の内側面９１，９３には、各内側面９１，９３からドラム１５の鍔部１８までの離間距離Ｒ以上の高さ寸法Ｈを有するリブ９２，９２，９４，９４が前記鍔部１８に近接して設けられている。
【００７０】
このため、本体ケース１１の内側面９１，９３に沿って巻き込まれたホース１４を、各リブ９２，９２，９４，９４で案内することにより、前記内側面９１，９３とドラム１５の鍔部１８間への巻き込みを防止することができる。
【００７１】
したがって、巻き込んだホース１４の取り外しが困難なケース状の本体ケース１１を備えた本構造であっても、ホース１４の巻き込みに起因した不具合を未然に回避することができる。
【００７２】
なお、本実施の形態にあっては、本体ケース１１の天面２１が全域に渡って平坦に形成された場合を例に挙げて説明したが、これに限定されるものでは無く、例えばドーム形状や波形状や屋根形状であっても、前述と同様の効果を得ることができる。
【図面の簡単な説明】
【００７３】
【図１】本発明の一実施の形態を示す斜視図である。
【図２】同実施の形態の側面図である。
【図３】図２のＡ−Ａ線に沿った断面図である。
【図４】同実施の形態の平面図である。
【図５】図４のＢ−Ｂ線に沿った断面図である。
【図６】同実施の形態の正面図である。
【図７】同実施の形態の底面図である。
【図８】図４のＣ−Ｃ断面に相当する図である。
【図９】同実施の形態の折り畳み状態を示す要部の断面図である。
【符号の説明】
【００７４】
１    ホースリール
１１    本体ケース
１４    ホース
１５    ドラム
１７    胴部
１８    鍔部
２１    天面
２２    凹部
２３    取っ手
２４    握持部
２６    回動軸
２７    傾倒状態
２８    起立状態
２９    当接部（規制手段）
６１    底面
６２    底面開口部
６７    脚部
７４    折り畳み状態
７５    展開状態
９１    内側面
９２    リブ
９３    内側面
９４    リブ
Ｈ    高さ寸法
Ｒ    離間距離
【図１】
2006273583.tif 000003
【図２】
2006273583.tif 000004
【図３】
2006273583.tif 000005
【図４】
2006273583.tif 000006
【図５】
2006273583.tif 000007
【図６】
2006273583.tif 000008
【図７】
2006273583.tif 000009
【図８】
2006273583.tif 000010
【図９】
2006273583.tif 000011